(57)【要約】【課題】従来の消火器消防標識の壁面表示には、凹凸壁面への表示困難、壁面損傷、壁面からの脱落の問題がある。消火器スタンド法は消防標識取り付け面の脚部折損、抜去、スタンド移動の恐れがあり、消火器床面直置き法は消火器移動、底部腐食の問題があり、両法とも清掃時の移動の煩わしさがある。消火器ボックス法は、外観が大げさな印象を与える。【解決手段】扁平な角型管状構造を適切な長さに切断し、消防標識掲出面７の表面に上部長穴１、下部長穴２、正対する裏面に切り欠き部６、角穴１１を設け、脚部８の表面に上部表面小穴３、下部表面小穴４を、正対する裏面に上部裏面小穴１２、下部裏面小穴１３を穿孔し、下端に懸架フック５を接合する。縦書き消防標識の上下余白の小孔に通した小ネジを両長穴に挿入し、切り欠き部、角穴からナットで締付け、表面小穴、裏面小穴に壁固定用の小ネジを挿入して壁穴に捻じ込み、消火器を床面から離して懸架フック５に架け下げる。【選択図】図１
2014223267.tif 000002
【特許請求の範囲】
【請求項１】
消防標識の支持体である扁平で直線状の角形管状構造や六面体構造の表面の概略上半面を占める消防標識掲出面に、縦書き消防標識装着用の留め金具を挿入するための取付穴を設け、これと正対する裏面に締結部品を嵌め込むための開口を設け、概略下半面を占める脚部に壁面固定用の貫通孔を設け、脚部下端に消火器を掛け下げるための引掛け金具を接合し、これによって凹凸壁面への消防標識の表示、壁面からの消防標識の脱落防止、消防標識交換時の壁面損傷防止、消防標識表示機能と消火器設置機能の一体化、消火器の移動防止を特徴とする消火器懸架フック付きの壁面用消防標識掲出プレート、および前記構造から裏面を除去した断面凹形の消火器懸架フック付きの壁面用消防標識掲出プレート。
【請求項２】
請求項１に記載の扁平で直線状の角形管状構造や六面体構造をＴ字形に接合した構造において、Ｔ字の水平部の表面を消防標識掲出面として横書き消防標識装着用の取付穴を設け、これと正対する裏面に開口を設け、Ｔ字の垂直部を脚部として貫通孔を設け、脚部下端に引掛け金具を接合した消火器懸架フック付きの壁面用消防標識掲出プレート、および前記構造から裏面を除去した断面凹形の消火器懸架フック付きの壁面用消防標識掲出プレート。
【発明の詳細な説明】
【技術分野】
【０００１】  本発明は、消防標識表示機能と消火器設置機能が一体化されている消火器消防標識を壁面に掲出するためのプレートに関するものである。
【背景技術】
【０００２】  従来の消火器と書かれた壁面用の消防標識の表示方法、および消火器の設置方法は、壁際の床面に消火器を直置きして近傍の壁面に消防標識を直接固定する方法、壁面に設けた単なる吊り下げフックに消火器本体背面の吊り環を架けて近傍の壁面に消防標識を直接固定する方法、背面支持板の上部にハンガー部を設け背面支持板下部に直交する架台を設けたスタンドを壁面に架け下げ架台に消火器を設置して近傍の壁面に消防標識を直接固定する方法（例えば、非特許文献１参照）、台座および台座の背面から直立する支柱とその先端に取付けた転倒防止リングからなる消火器スタンドを床面に直置きし台座部に消火器を設置して近傍の壁面に消防標識を直接固定する方法（例えば、特許文献１参照）、フック、底受け爪および締結バンドをからなる金属板を壁面に設置し消火器を引っ掛けて床面から離して保持し近傍の壁面に消防標識を直接固定する方法（例えば、特許文献２参照）、台座および台座の背面から直立する支柱とその先端に設けた消防標識取付け板からなる消火器スタンドを床面に直置きし台座部に消火器を設置して消防標識取付け板に消防標識を固定する方法（例えば、特許文献３、４参照）、台座および台座背面の支柱に設置した転倒防止リング並びに支柱先端に設けた消防標識取付け板からなる消火器スタンドを床面に直置きし台座部に消火器を設置して消防標識取付け板に消防標識を固定する方法（例えば、非特許文献２参照）、金属製や樹脂製消火器ボックスを壁面に設置し扉部に消防標識を固定、または消火器と直接記載する方法が採られていた。
【先行技術文献】
【特許文献】
【０００３】
【特許文献１】  特許公開番号２００９−２２６１８１
【特許文献２】  特許公開番号２００２−１２６１１６
【特許文献３】  特許公開番号２００５−４０３６４
【特許文献４】  特許公開番号２００５−１１１０１１
【非特許文献】
【０００４】
【非特許文献１】  実用新案公開番号平６−７７７５５
【非特許文献２】  登録実用新案第３１２９０４２号
【発明の概要】
【発明が解決しようとする課題】
【０００５】  そのため、従来法には次の様な問題点があった。【０００６】  一般的に消火器と書かれた消防標識を壁面に固定する方法の大部分は両面テープ方式であり、木ネジ方式、接着剤方式も少数であるが使用されている。【０００７】  両面テープ方式は、接着層の劣化で消防標識が脱落しやすく、凹凸壁面、例えばコンクリート壁、タイル壁、装飾塗装壁への接着力が弱いので何度も貼り直す必要があった。【０００８】  消防標識の大部分を占めるプラスチック製消防標識は、紫外線により退色するので鮮明な表示を維持するためには定期的な交換が必要である。しかし、両面テープ方式は、塗装壁、化粧板壁、クロス壁では、交換のたびに壁面の表面素材を損傷するので補修工事に発展する場合がある。木ネジ方式も、締結力低下を防止するために少しずつ場所を変える必要が生じ、壁面の損傷部分が徐々に拡大する。接着剤方式は、古い消防標識を壁面から剥離する際に壁面素材に決定的な損傷を与える。【０００９】  消火器を床面に直置きして消火器と記載された消防標識を近傍の壁面に直接固定する方法、および床面に直置きされた消火器スタンドに消火器を設置し近傍の壁面に消防標識を直接固定する方法は、周辺の使用上の都合で消火器を移動されやすい欠点があり、移動距離によっては「防火対象物の各部分から、それぞれ−の消火器具に至る歩行距離が２０ｍ以下となるように配置する（消防法施行規則第６条）」、および「消火器具を設置した箇所には、標識を見やすい位置に設ける（消防法施行規則第９条）」を満たさなくなる場合がある。【００１０】  消火器スタンド支柱の消防標識取付け板に消防標識を固定し台座部に消火器を設置する方法は、消火器と消防標識の設置場所が一体化されているが、消火器スタンドが所定の位置から移動される可能性や悪戯による支柱の折損や抜き取りが行われる場合がある。【００１１】  消火器の床面直置きは、湿気による消火器本体容器の腐食を起こしやすい。また、消火器本体の床面直置きや消火器を設置した消火器スタンドの床面直置きは、清掃時に重い消火器を移動する煩わしさを生じ、ワックス掛け後の原状復帰に時間を要する。【００１２】  金属製や樹脂製消火器ボックスを壁面に設置し、扉に消火器消防標識を固定、または消火器と直接記載する方法は、消火器や壁面の保護、消火器と消防標識の設置場所の一体化という点では優れているが、屋内使用では外見が大げさな印象を与える。【００１３】  本発明は、以上の問題点を解決するためになされたものである。
【課題を解決するための手段】
【００１４】  本発明は、前記の課題を解決するために以下の構成を採用した。
即ち、本発明は、消火器消防標識の支持体である扁平で直線状の角形管状構造や六面体構造、角型管状構造や六面体構造をＴ字形に接合した構造、および前記構造から裏面を除去した断面が凹形の構造からなる。ここで言う扁平で直線状の角形管状構造や六面体構造とは、前者が細長い板状で断面が長方形の両端が開いた管状構造を、後者が細長い板状で断面が長方形の全ての面が閉じた中空の箱型構造を意味するものである。【００１５】  第１課題解決手段は、次ぎの構成からなる。扁平で直線状の角形管状構造や六面体構造において、表側の概略上半面を占める消防標識掲出面の上下に、縦書き消火器消防標識を装着するための留め金具を挿入する取付穴、取付穴と正対する裏面に留め金具の締結部品を挿入するための開口を設け、概略下半面を占める脚部の上下には、本発明を壁面に固定するための貫通孔を設け、脚部下端の表側に消火器を掛け下げるための引掛け金具を装着した消防標識掲出プレート、および上記構成から裏面を除去した消防標識掲出プレートである。上記の構成において、取付穴とは、取付物に設けられた穴に通した留め金具を挿入して母材上の取付物の位置を規定し、締結部品の締めつけ力によって取付物を母材に固定するための円形や四角形のネジ穴である。開口とは、部材の端部の一辺、またはその一部と辺を共有しているために同一平面上に全周が揃っていない開放部分、および部材と共有している辺が無いために同一平面上に全周が残っている開放部分を意味するものである。【００１６】  第２課題解決手段は、次の構成からなる。扁平で直線状の角形管状構造や六面体構造をＴ字形に接合した構造において、Ｔ字の水平部分の表側をなす消防標識掲出面の左右に横書きの消火器消防標識を装着するための留め金具を挿入する取付穴、取付穴と正対する裏面に留め金具の締結部品を挿入するための開口を設け、Ｔ字の垂直部分である脚部の上下には、本発明を壁面に固定するための貫通孔を設け、脚部下端の表側に消火器を掛け下げるための引掛け金具を装着した消防標識掲出プレート、および上記構成から裏面を除去した消防標識掲出プレートである。上記の構成における取付穴、および開口の定義は、第１課題解決手段と同一である。【００１７】  第１課題解決手段における使用方法は、次の通りである。縦書き消火器消防標識の上下余白に穿孔された小孔に本発明の空洞に収納可能な長さの留め金具を通し、先端部を消防標識掲出面にある取付穴に挿入する。次に、消防標識と本発明の上端を揃え、裏面の開口に本発明の空洞に収納可能な高さの締結部品を嵌め込んで消防標識を機械的に装着する。消防標識が装着された本発明の脚部の貫通孔に壁面固定用の留め金具を挿入し、消火器底部が床面から離れる高さで予めネジ補強材が挿入された壁穴に機械的に固定する。本発明を壁面に固定したら、消火器の吊り環を引掛け金具に架け下げる。第１課題解決手段における裏面を除去した消防標識掲出プレートでは、開口がないので裏側の凹部から締結部品を留め金具先端に捻じ込んで消防標識を装着し、壁面への固定も表側の貫通孔のみを使用して壁穴に機械的に固定する。【００１８】  第２課題解決手段における使用方法は、次の通りである。横書きの消火器消防標識の左右余白���穿孔された小孔に本発明の空洞に収納可能な長さの留め金具を通し、先端部を消防標識掲出面にある取付穴に挿入する。次に、消防標識と本発明の左右端を揃え、裏面の開口に本発明の空洞に収納可能な高さの締結部品を嵌め込んで消防標識を機械的に装着する。消防標識が装着された本発明の脚部の貫通孔に壁面固定用の留め金具を挿入し、消火器底部が床面から離れる高さで予めネジ補強材が挿入された壁穴に機械的に固定する。本発明を壁面に固定したら、消火器の吊り環を引掛け金具に架け下げる。第２課題解決手段における裏面を除去した消防標識掲出プレートでは、開口がないので裏側の凹部から締結部品を留め金具先端に捻じ込んで消防標識を装着し、壁面への固定も表側の貫通孔のみを使用して壁穴に機械的に固定する。【００１９】  第１、および第２課題解決手段によれば、消防標識の壁面からの脱落防止、消防標識の凹凸壁面への表示、消防標識を壁面に直接固定しないことによる壁面損傷の回避、消防標識の交換容易化、消火器の移動防止、本発明の裏面から突起を排除したことによる壁面損傷の防止、消防標識表示機能と消火器設置機能の一体化、消火器底部の腐食防止などの特徴を提供することができる。
【発明の効果】
【００２０】  上記の様に構成された消火器懸架フック付きの壁面用消防標識掲出プレートによれば、次のような効果が得られる。
（１）本発明は、壁の表面状態に関係なく消火器消防標識を表示でき、消防標識が壁面か      ら脱落せず、消防標識を壁面に直接固定しないので壁面素材を傷める懸念がない。
（２）消火器消防標識が本発明に機械的に装着され、本発明は壁に機械的に固定されるの      で、消防標識の交換作業をドライバーで簡単に行なうことができる。
（３）消火器消防標識を本発明に装着するための留め金具や締結部品は、本発明内部の空      洞や凹部に収納されて、壁面を損傷することなく密着して設置できる。
（４）本発明は、消防標識表示機能と消火器設置機能が一体化されて壁面に設置されてい      るので、消火器を移動される心配がなく、消防法施行規則の消火器設置条件を常に      満足し、非常時の消防標識の視認性や地震などによる転倒防止も確保されている。
（５）消火器と記載された消防標識は、本発明上に機械的に装着されているので悪戯によ      る損傷や持ち去られる心配がない。
（６）本発明に設置された消火器は、底部が床面から離れているので、湿気による腐食も      発生せず、清掃時の移動の煩わしさも解消される。
（７）本発明は、扁平な形状をしていて消防標識、および消火器の背面にあって目立たな      いので、建築物や室内環境との違和感を生じない。
【図面の簡単な説明】
【００２１】
【図１】本発明の第１実施形態による消防標識掲出面を示す斜視図
【図２】本発明の第１実施形態による壁に接する裏面を示す平面図
【図３】本発明の第２実施形態による消防標識掲出面を示す斜視図
【図４】本発明の第２実施形態による壁に接する裏面を示す平面図
【発明を実施するための形態】
【００２２】  以下、本発明の実施の形態を図に基づいて説明する。
【００２３】  第１実施形態における図１は扁平で直線状の角形管状構造からなる本発明の表面、図２はその裏面を示し、消火器と縦書きされた縦の長さの異なる２種類の消防標識を装着するための構造である。
【００２４】  図１の表面の概略上半面は消防標識が装着される消防標識掲出面７、概略下半面は本発明を壁面に固定するための脚部８を示し、脚部８の上部、下部には本発明を壁面に固定するための貫通孔である小穴が穿孔され、表面の下端中央には消火器を掛け下げるための引掛け金具である懸架フック５が装着される。
【００２５】  消防標識掲出面７、脚部８の内部は空洞で、上下の面のない角形管状構造である。角形管状構造の厚さは薄いほど外観上の好印象を与えるが、消防標識を消防標識掲出面７に装着するための留め金具である小ネジの先端部や小ネジの締結部品であるナットを空洞に収納できる厚さであると、壁面を損傷することなく密着して設置できる。角形管状構造の横幅は、最大でも消防標識の最小横幅と同一であるが、それより１０〜２０ｍｍ狭くすると目立たなくなり意匠面から好ましくなる。角形管状構造の縦幅は、消防標識の上端から消火器という文字の下端までの長さに消火器頂部から消火器背面の吊り環までの長さを加えた長さにすると、最小の縦幅を実現して文字が消火器の陰にならない。
【００２６】  図１に示した消防標識掲出面７の上下には上部長穴１、および下部長穴２が設けられ、これらは消防標識の上下余白に穿孔される小孔に通した小ネジを挿入するための取付穴である。両長穴の横幅は同一であるが、縦幅は上部長穴１よりも下部長穴２のほうが長い。
【００２７】  図２に示した消防標識掲出面７の裏面には切り欠き部６、および角穴１１が設けられ、これらは消防標識を本発明に装着するために上部長穴１、下部長穴２に挿入した小ネジの締結部品であるナットの嵌め込みを意図した開口である。上部長穴１と切り欠き部６、下部長穴２と角穴１１が正対し、上部長穴１と切り欠き部６、および下部長穴２と角穴１１の中心点は同一直線上にある。切り欠き部６、角穴１１の横幅、および縦幅は、正対する長穴よりも大きく、且つ角穴１１の縦幅は切り欠き部６の縦幅よりも大きい。また、切り欠き部６の上辺は、消防標識掲出面７の木口面と同一位置にある。
【００２８】  図１に示した上部長穴１と木口面との間の余白は、上部長穴１の上端部に消防標識装着用の小ネジを挿入し、裏面の切り欠き部６から小ネジに蝶ナットを捻じ込んだとき、縦向きの角度で締め終わった蝶ナットの木口寄りの片翼が隠される幅、つまり翼幅の二分の一の幅を確保すると表面から見たときの整然とした外観を実現できる。
【００２９】  表面の上部長穴１、および裏面の切り欠き部６の中心点の横位置は、消防標識掲出面７の垂直中心線上にある。両者の中心点の縦位置は、両者の中心点が同一直線上にあり、切り欠き部６の上辺が消防標識掲出面７の木口面と同一位置にあるので、木口面から切り欠き部６の縦幅の二分の一の距離となる。
【００３０】  図１に示した上部長穴１の横幅は、本発明の空洞に収納可能な長さの消防標識を装着するための小ネジの外径に応じて決められ、縦幅は加工の難易、および消防標識の上余白に穿孔される小孔の位置ズレを考慮して、上部長穴１の中心点を基準位置とした上下のクリアラス幅を経験的に設ける。
【００３１】  図２に示した切り欠き部６の横幅は、表面の上部長穴１に挿入される消防標識装着用の小ネジに切り欠き部６から蝶ナットを捻じ込んだとき、どの位置でも蝶ナットを支障なく回転できる寸法とする。切り欠き部６の縦幅は、上端部は消防標識掲出面７の上端と同一位置にあり、下端部は上部長穴１の下端に挿入される小ネジに切り欠き部６から蝶ナットを捻じ込んだとき、蝶ナットを支障なく回転できる寸法とする。切り欠き部６の横幅、縦幅を蝶ナットも適用できる寸法にすると、六角ナット、蝶ナットを使用した小ネジの締め付けが可能になり、特に蝶ナットを使用した場合には消防標識装着の作業性が向上する。
【００３２】  表面の下部長穴２、および裏面の角穴１１の中心点の横位置は、消防標識掲出面７の垂直中心線上にある。両者の中心点の縦位置は、消防標識の上下端から同一距離の余白内に小ネジを通すための小孔が穿孔される、下部長穴２と角穴１１の中心点が同一直線上にあるという前提に立つと、縦の長さが異なる２種類の消防標識を装着可能にするためには長さの異なる消防標識の下余白に穿孔される小孔の中間位置となる。
【００３３】  図１に示した下部長穴２の横幅は、上部長穴１の場合と同様に挿入される小ネジの外径に応じて決められ、縦幅は２種類の縦の長さが異なる消防標識の装着、および消防標識の下余白に穿孔される小孔の位置ズレを考慮して、下部長穴２の中心点の上下に上部長穴１と同一縦幅のクリアランス幅を設ける。
【００３４】  図２に示した角穴１１の横幅は、表面の下部長穴２に挿入される消防標識装着用の小ネジに角穴１１から蝶ナットを捻じ込んだとき、どの位置でも蝶ナットを支障なく回転できる寸法とする。角穴１１の縦幅は、表面の下部長穴２の上端、または下端に挿入される小ネジに角穴１１から蝶ナットを捻じ込んだとき、蝶ナットを支障なく回転できる寸法とする。角穴１１の横幅、縦幅を蝶ナットにも対応できる寸法にすると、六角ナット、蝶ナットを使用した小ネジの締め付けが可能になり、特に蝶ナットを使用するとき消防標識装着の作業性が向上する。
【００３５】  図１に示した脚部８の表面上部には上部表面小穴３、下部には下部表面小穴４が設けられ、また、図２に示した脚部８の裏面上部には上部裏面小穴１２、下部には下部裏面小穴１３が設けられ、これらは本発明の壁面固定用の小ネジを挿入する貫通孔である。上部表面小穴３と上部裏面小穴１２、および下部表面小穴４と下部裏面小穴１３は、それぞれ同径同心円の関係にある。
【００３６】  上部表面小穴３、および上部裏面小穴１２の中心点の横位置は、脚部８の垂直中心線上にあり、中心点の縦位置は消防標識を装着するエリアと重複しない範囲のなるべく上方に設けられる。
【００３７】  下部表面小穴４、および下部裏面小穴１３の中心点の横位置は、脚部８の垂直中心線上にあり、中心点の縦位置は脚部８の下端に装着される懸架フック５の設置エリアと重ならない範囲のなるべく下方に設けられる。
【００３８】  上下の表面小穴、裏面小穴の直径は、これらの小穴に本発明の壁面固定用の小ネジを挿入して壁面に取り付け、脚部８の下端の懸架フック５に一般的に使用される移動式粉末消火器を掛け下げたときに、小ネジの軸に対して垂直方向の荷重に耐えうる強度を持った小ネジの外径によって決められる。
【００３９】  図１に示した脚部８の表面の下端中央には、Ｊ字形、またはＬ字の先端が立ち上がった形状の懸架フック５がリベットや溶接で強固に接合される。懸架フック５は、消火器背面の吊り環を掛け下げて本発明に消火器も同時に設置するための構造で、消火器専用の市販品を使用しても構わないし、同等品を使用しても構わない。
【００４０】  本発明の第１実施形態は上記の構成なので、次の様に使用される。縦書き消防標識の垂直中心線の上下端から同一距離の余白内で、消防標識掲出面７の上部長穴１、下部長穴２と重なる位置に小孔を１箇所ずつ穿孔する。本発明の空洞に納まる長さの小ネジを座金に通して消防標識の小孔、次いで上部長穴１、下部長穴２に挿入する。消防標識と本発明の上端を揃え、裏面の切り欠き部６、および角穴１１に本発明の空洞に納まる高さの六角ナット、または蝶ナットを嵌め込んで締め付ける。次に、本発明を壁面に固定するための小ネジを上部表面小穴３と上部裏面小穴１２に、必要があれば下部表面小穴４と下部裏面小穴１３にも挿入する。壁面固定用の小ネジは、一般的に使用されている移動式粉末消火器を本発明下端の懸架フック５に掛け下げたときに、小ネジに加わるせん断荷重に抵抗できる外径、および壁面への確実な固定をする観点から本発明に使用される角形管状構造の厚さの２〜３倍の長さの規格を選定する。本発明が設置される壁面には、消防法施行規則、第９条の規定に従って消火器頂部が床面から１．５ｍ以内で消火器底部が床面に接触しない高さに予め壁穴を穿孔し、ネジ補強材である後施工インサートを挿入しておく。本発明を壁面に固定するための小ネジをネジ補強材が挿入された壁穴に捻じ込み、本発明が壁面に安定して固定されたら懸架フック５に消火器を掛け下げる。
【００４１】  第１実施形態の上記構成によって、次ぎの様な効果が得られる。縦の長さの異なる２種類の縦書き消火器消防標識を１種類の長さの本発明に装着可能になり、壁の表面状態に左右されずに消防標識を表示でき、壁面からの消防標識の脱落を防止し、消防標識が壁面に直接固定されないので壁面損傷を防止し、消防標識の交換作業が容易になり、本発明の裏面に突起がないので壁面を損傷せず、消防標識と消火器の設置場所を一体化し、消火器底部の腐食を防止し、清掃時の移動の煩わしさも解消される。なお、壁穴にネジ補強材を挿入することによって本発明を壁面に強固に固定でき、壁穴の再利用が可能になって壁の美観維持にも有効となる。本発明は、消火器消防標識と消火器の設置場所が指定され、常に正常な状態の消防標識や消火器の維持管理を要求される公共施設、医療施設、福祉施設、教育施設、商業施設、オフィスビル、雑居ビル、宿泊施設、物流施設、製造施設、スポーツ施設、遊戯施設、鉄道施設、共同住宅などでの利用によって、特に上記の効果を発揮する。勿論、一般家庭で使用されても、同様の効果を得ることができる。
【００４２】  なお、第１実施形態では、消防標識掲出プレートに扁平で直線状の上下の面のない角形管状構造が使用されているが、上下の面がある扁平で直線状の六面体構造でも構わない。
【００４３】  また、第１実施形態から裏面を除去した断面が凹形の構造でも同様の目的を達成でき、本構造を採用すると裏面加工の省略、軽量化、経費節減を実現できる。
【００４４】  第２実施形態における図３は扁平な角形管状構造をＴ字形に接合した本発明の表面、図４はその裏面を示し、消火器と横書きされた消防標識に適用するための構造である。
【００４５】  図３の表面の水平部分は消防標識が装着される消防標識掲出面２７、垂直部分は本発明を壁面に固定するための脚部２８を示し、脚部２８の上部、下部には本発明を壁面に固定するための貫通孔である小穴が穿孔され、表面の下端中央には消火器を掛け下げるための引掛け金具である懸架フック２５が装着される。
【００４６】  消防標識掲出面２７、および脚部２８の内部は空洞で、端部が開いた角形管状構造である。角形管状構造の厚さの基準は、第１実施形態と同様である。市販の横書き消防標識は単一サイズなので、消防標識掲出面２７の横幅は消防標識と同寸法にし、縦幅は最大でも消防標識と同一、好ましくは１０〜２０ｍｍ短くすると目立たなくなり意匠上好ましくなる。脚部２８は、消防標識掲出面２７に用いた角形管状構造と同一幅、または下端中央に懸架フック２５を装着可能な狭い幅の角形管状構造であってもよい。脚部２８の長さは、消火器頂部から消火器背面の吊り環までの長さが最低寸法である。
【００４７】  図３に示した消防標識掲出面２７の左右には左長穴２１、右長穴２２が設けられ、これらは消防標識を本発明に装着するために消防標識の左右余白に穿孔される小孔に通した留め金具である小ネジを挿入する取付穴である。左右の長穴の横幅、縦幅は、同一である。
【００４８】  図４に示した消防標識掲出面２７の裏面の左右には、右切り欠き部２６、左切り欠き部３１が設けられ、消防標識を本発明に装着するために左長穴２１、右長穴２２に挿入した小ネジの締結部品であるナットの嵌め込みを意図した開口である。左長穴２１と左切り欠き部３１、右長穴２２と右切り欠き部２６が正対し、左右の正対している長穴と切り欠き部の中心点は同一直線上にある。両切り欠き部の横幅、および縦幅は、正対している長穴の横幅、縦幅よりも大きく、且つ両切り欠き部の大きさは同一である。また、両切り欠き部の木口寄りの端部は、消防標識掲出面２７の木口面と同一位置にある。
【００４９】  図３に示した左長穴２１、右長穴２２と木口面との間の余白は、両長穴の木口寄りの端部に消防標識装着用の小ネジを挿入し、裏面の右切り欠き部２６、左切り欠き部３１から蝶ナットを捻じ込んだとき、横向きの角度で締め終わった蝶ナットの木口寄りの片翼が隠される幅、つまり翼幅の二分の一の幅を確保すると表面から見たとき整然とした外観を実現できる。
【００５０】  左右の正対している長穴と切り欠き部の中心点の横位置は、両者の中心点が同一直線上にあり、両切り欠き部の木口寄りの辺が消防標識掲出面２７の木口面と同一位置にあるので、木口面から切り欠き部の横幅の二分の一の距離となる。中心点の縦位置は、消防標識掲出面２７の水平中心線上にある。
【００５１】  図３に示した消防標識掲出面２７の左右の長穴の横幅は、加工の難易、および横書き消防標識の左右余白に穿孔される小孔の位置ズレを考慮して、左長穴２１、右長穴２２の中心点を基準位置にした左右のクリアラス幅を経験的に設ける。左右の長穴の縦幅は、本発明の空洞に収納可能な長さの消防標識装着用の小ネジの外径に応じて決められる。
【００５２】  図４に示した左右の切り欠き部の横幅は、木口寄りの端部は消防標識掲出面２７の木口面と同一位置にあり、中央寄りの端部は左右の長穴の中央寄りの端部に挿入される消防標識装着用の小ネジに両切り欠き部から蝶ナットを捻じ込んだとき、蝶ナットを支障なく回転できる寸法にする。左右の切り欠き部の縦幅は、左右の長穴に挿入される小ネジに両切り欠き部から蝶ナットを捻じ込んだとき、どの位置でも蝶ナットを支障なく回転できる寸法にする。左右の切り欠き部の横幅、縦幅を蝶ナットも適用できる寸法にすると、六角ナット、蝶ナットの両方が使用可能となり、特に蝶ナットを使用した場合には消防標識装着の作業性が向上する。
【００５３】  図３に示した脚部２８の表面上部には上部表面小穴２３、下部には下部表面小穴２４が設けられ、また、図４に示した脚部２８の裏面上部には上部裏面小穴３２、下部には下部裏面小穴３３が設けられ、これらは本発明を壁面に固定するための小ネジを挿入する貫通孔である。上部表面小穴２３と上部裏面小穴３２、および下部表面小穴２４と下部裏面小穴３３は、それぞれ同径同心円の関係にある。
【００５４】  上部表面小穴２３、および上部裏面小穴３２の中心点の横位置は、脚部２８の垂直中心線上に、中心点の縦位置は脚部２８のなるべく上方に設けられる。
【００５５】  下部表面小穴２４、および下部裏面小穴３３の中心点の横位置は、脚部２８の垂直中心線上に、中心点の縦位置は脚部２８の下端に装着される懸架フック２５の取り付けスペースと重ならない範囲のなるべく下方に設けられる。
【００５６】  上下の表面小穴、および裏面小穴の直径は、第１実施形態と同一である。
【００５７】  図３に示した脚部２８の表面の下端中央には、懸架フック２５が装着される。懸架フック２５の形状、接合方法、使用目的は第１実施形態と同様で、消火器専用の市販品を使用しても構わないし、同等品を使用しても構わない。
【００５８】  本発明の第２実施形態は上記の構成なので、以下の様に使用される。横書き消防標識の水平中心線の左右端から同一距離の余白内で、消防標識掲出面２７の左長穴２１、右長穴２２と重なる位置に小孔を１箇所ずつ穿孔する。本発明の空洞に納まる長さの小ネジを座金に通して消防標識の小孔、次いで、左長穴２１、右長穴２２挿入する。消防標識と本発明の左右端を揃え、裏面の右切り欠き部２６、左切り欠き部３１に本発明の空洞に納まる高さの六角ナット、または蝶ナットを嵌め込んで締め付ける。次に、本発明を壁面に固定するための小ネジを上部表面小穴２３と上部裏面小穴３２、必要あれば下部表面小穴２４と下部裏面小穴３３にも挿入する。本発明の壁面固定用の小ネジは、一般的に使用されている移動式粉末消火器を本発明下端の懸架フック２５に掛け下げたとき、小ネジに加わるせん断荷重に抵抗できる外径、および壁面への確実な固定をする観点から本発明に使用される角形管状構造の厚さの２〜３倍の長さの規格を選定する。本発明が設置される壁面には、消防法施行規則、第９条の規定に従って消火器頂部が床面から１．５ｍ以内で消火器底部が床面に接触しない高さに予め壁穴を穿孔して、ネジ補強材である後施工インサートを挿入しておく。本発明を壁面に固定するための小ネジをネジ補強材が挿入された壁穴に捻じ込み、本発明が壁面に固定されたら懸架フック２５に消火器を掛け下げる。
【００５９】  第２実施形態の上記構成によって、次ぎの様な効果が得られる。横書き消火器消防標識を本発明に装着可能になり、壁の表面状態に左右されずに消防標識を表示でき、消防標識の壁面からの脱落を防止し、消防標識が壁面に直接固定されないので壁面損傷を防止し、消防標識の交換作業が容易になり、本発明の裏面に突起がないので壁面を損傷せず、消防標識と消火器の設置場所を一体化し、消火器底部の腐食を防止し、清掃時の移動の煩わしさも解消される。なお、壁穴にネジ補強材を挿入することによって本発明を壁面に強固に固定でき、壁穴の再利用が可能になって壁の美観維持にも有効となる。本発明は、消防標識と消火器の設置場所が指定され、常に正常な状態の消防標識や消火器の維持管理を要求される公共施設、医療施設、福祉施設、教育施設、商業施設、オフィスビル、雑居ビル、宿泊施設、物流施設、製造施設、スポーツ施設、遊戯施設、鉄道施設、共同住宅などでの利用により、特に上記の効果を発揮する。勿論、一般家庭で使用されても、同様の効果を得ることができる。
【００６０】  なお、第２実施形態では、消防標識掲出プレートには扁平で端部が閉じていない角形管状構造がＴ字形に接合されていたが、全ての面が存在する扁平な六面体構造をＴ字形に接合しても構わない。
【００６１】  また、第２実施形態から裏面を除去した断面が凹形の構造をＴ字形に接合しても同様の目的を達することができ、本構造を採用することにより特に裏面加工の省略、軽量化、経費節減に有効となる。
【００６２】  本発明の基本構造は上記のように構成されていて、以下にその数種の実施例を示すが、これらは単なる例であって本発明はこれらによって何ら制限を受けない。
【実施例】
【実施例１】
【００６３】  以下に、消火器と縦書きされた縦の長さの異なる２種類のプラスチック製消防標識を本発明に装着して、その下端に消火器も併設する一実施例を説明する。【００６４】  縦書き消防標識は、縦×横×厚みが２４０ｍｍ×８０ｍｍ×１ｍｍと２５０ｍｍ×９０ｍｍ×１ｍｍのものが主流で、文字の下に下矢印付属タイプと文字だけのタイプがある。下矢印付属タイプは、下矢印が消火器の安全栓の陰になっても支障がないので、本発明の縦寸法を最小化することができ、軽量化と材料費節減に効果的である。【００６５】  実施例１では、長さ×幅×厚さが４０００ｍｍ×６５〜７５ｍｍ×９〜１２ｍｍ、肉厚１．０〜１．５ｍｍ、好ましくは長さ×幅×厚さが４０００ｍｍ×７５ｍｍ×９ｍｍ、肉厚１．５ｍｍのステンレス製フラット角パイプを長さ３６０ｍｍ、および４００ｍｍに切断して消防標識掲出プレートとし、木口を鉛直方向に使用する。厚さ９ｍｍのステンレス製フラット角パイプを使用すると、消火器消防標識を本プレートに装着するための小ネジには長さ１０ｍｍ以下の規格が使用可能で、裏面から小ネジに捻じ込む蝶ナットには翼高７．５ｍｍ以下の規格が使用可能である。【００６６】  縦が２４０ｍｍ、２５０ｍｍで縦書きの消火器のという文字の下に下矢印が付属した消防標識には長さ３６０ｍｍの本プレートを、縦が２４０ｍｍ、２５０ｍｍで縦書きの消火器という文字だけの消防標識には長さ４００ｍｍの本プレートを適用する。【００６７】  実施例１では、図１の表側の概略上半面は消防標識が装着される消防標識掲出面７、概略下半面は本プレートを壁面に固定するための脚部８を示し、内部は空洞である。脚部８の上部、下部には本プレートを壁に固定するための貫通孔である小穴が穿孔され、表側の下端中央には、消火器を掛け下げるための懸架フック５が装着される。【００６８】  実施例１では、図１における消防標識掲出面７の垂直中心線の上端から１３ｍｍの位置を上部長穴１の中心点とする。また、図２における消防標識掲出面７の裏面の垂直中心線の上端から１３ｍｍの位置を切り欠き部６の中心点とする。上部長穴１、および切り欠き部６の中心点は、同一直線上にある。これらの中心点は、縦書き消防標識の上下余白に穿孔される消防標識装着用の小ネジを通すための小孔の中心点とも重なっている。【００６９】  実施例１では、上部長穴１は、横幅４ｍｍ、縦幅１０ｍｍの長方形である。上部長穴１の縦幅を前記寸法にすると、上部長穴１と木口面との間の余白は８ｍｍとなり、消防標識装着用の小ネジを上部長穴１の上端部に挿入し、裏面の切り欠き部６から翼幅１７ｍｍ以下の蝶ナットを捻じ込んだときに、縦向きの角度で締め終わった蝶ナットの木口寄りの片翼が、余白に遮蔽され表面から見ると整然とした外観となる。【００７０】  実施例１では、切り欠き部６は、横幅１８ｍｍ、縦幅２６ｍｍの長方形で、木口寄りの辺が消防標識掲出面７の木口面と同一位置にあるので上方が開いた構造である。切り欠き部６を上記寸法にすると、六角ナット以外に翼幅１７ｍｍ以下の蝶ナットで消防標識装着用の小ネジの締め付けが可能となり、ナットを指先で挟み持つ空間も確保できる。【００７１】  実施例１では、図１における消防標識掲出面７の垂直中心線の��端から２３２ｍｍの位置を下部長穴２の中心点とする。また、図２における消防標識掲出面７の裏面の垂直中心線の上端から２３２ｍｍの位置を角穴１１の中心点とする。下部長穴２、および角穴１１の中心点は、同一直線上にある。【００７２】  実施例１では、下部長穴２は、横幅４ｍｍ、縦幅２０ｍｍの長方形である。下部長穴２の縦幅を前記寸法にすると、縦が２４０ｍｍと２５０ｍｍの縦書き消防標識の上下端から１３ｍｍ±３ｍｍの位置に消防標識装着用の小孔を穿孔したとき、下余白の小孔に通した小ネジを下部長穴２に挿入することができる。【００７３】  実施例１では、角穴１１は、横幅１８ｍｍ、縦幅３８ｍｍの長方形である。角穴１１を前記寸法にすることで六角ナット以外に翼幅１７ｍｍ以下の蝶ナットを嵌めこんで、下部長穴２に挿入した消防標識装着用の小ネジの締め付けが可能になり、ナットを指先で挟み持つ空間も確保できる。【００７４】  なお実施例１では、上部長穴１、下部長穴２の中心点の縦位置は、上記の値に限定されているのではなく、縦書き消防標識の消火器という文字の上下余白と重なる範囲内で、消防標識を本プレートに装着するための小ネジを挿入してナットで締め付けることのできる位置ならば上下に移動しても構わない。従って、上部長穴１と木口面との間の余白も中心点の位置によって変化するが、余白が狭くなると使用できるナットが六角ナットに限定される様になる。【００７５】  なお実施例１では、上部長穴１、下部長穴２の横幅は、上記の値に限定されているのではなく、最小横幅は消防標識を本プレートに装着するための小ネジの最小外径まで縮小可能で、最大横幅は小ネジの頭部を支持できる幅まで拡幅しても構わない。【００７６】  また実施例１では、上部長穴１、下部長穴２の縦幅は、上記の値に限定されているのではなく、消防標識を本プレートに装着するために消防標識の上下余白に穿孔される小孔の位置精度や加工の難易に応じて上記よりも大きくしたり、小さくしたりしても構わない。【００７７】  なお実施例１では、切り欠き部６、および角穴１１の中心点の縦位置は、上記に限定されているのではなく、表面の上部長穴１、下部長穴２の中心点の縦位置の移動と連動することによって、上下に移動しても構わない。【００７８】  また実施例１では、切り欠き部６、および角穴１１の横幅、および縦幅は上記の値に限定されているのではなく、ナットを挿入できる空間を確保でき、本プレートの強度に影響しないならば、上記よりも大きくても、また小さくても構わない。【００７９】  なお実施例１では、裏面の切り欠き部６の形状は長方形に限定されているのではなく、直線部分が消防標識掲出面７の木口面と同一位置にあるＵ字形、Ｖ字形、半円形、四角形でも構わないし、全周のある丸穴や四角形穴でも構わない。【００８０】  また実施例１では、裏面の角穴１１の形状は長方形に限定されているのではなく、四角形穴、丸穴、楕円穴でも構わない。【００８１】  実施例１では、図１における脚部８の表面に、垂直中心線の上端から２６５ｍｍの位置を中心点とする上部表面小穴３を穿孔する。また、図２における脚部８の裏面に、垂直中心線の上端から２６５ｍｍの位置を中心点とする上部裏面小穴１２を穿孔する。上部���面小穴３と上部裏面小穴１２は、同径同心円の関係にあり、消防標識掲出プレートを壁面に固定するための小ネジを挿入する丸穴である。【００８２】  実施例１では、図１における脚部８の表面に、垂直中心線の上端から３３０ｍｍの位置を中心点とする下部表面小穴４を穿孔する。また、図２における脚部８の裏面に、垂直中心線の上端から３３０ｍｍの位置を中心点とする下部裏面小穴１３を穿孔する。下部表面小穴４と下部裏面小穴１３は、同径同心円の関係にあり、本プレートを壁面に固定するための小ネジを挿入する丸穴である。【００８３】  実施例１では、本プレートを壁面に固定するための上下の表面小穴、および裏面小穴の直径は、３．５〜５．０ｍｍ、好ましくは４．５ｍｍとする。上下の表面小穴、および裏面小穴の直径をこの寸法にすると、これらの小穴に挿入する小ネジの軸の垂直方向に作用するせん断荷重に対して余裕のある強度を持ったネジ径を選択できるようになる。【００８４】  実施例１では、脚部８の表面の下端中央にステンレス製の消火器専用の懸架フック５、例えば株式会社新協和製の消火器用フックＳＫ−ＦＣ−３をリベット、または溶接で強固に接合する。なお、懸架フック５は、前記の消火器用フックの同等品でも構わない。【００８５】  なお実施例１では、脚部８の正対している表面小穴、および裏面小穴は、上記の垂直中心線上の上部と下部の２箇所に限定されているのではなく、垂直中心線上の他の位置に１箇所以上、垂直中心線に対して左右対称な位置に１対以上穿孔しても構わない。これらの位置を変えた表面小穴、および裏面小穴の穿孔は、垂直中心線上の位置、垂直中心線に対して左右対称の位置のどちらか一方でも、両方同時でも構わない。【００８６】  実施例１では、縦書きの消火器という文字の下に下矢印が付属したタイプの消防標識に対しては全長３６０ｍｍの本プレートを適用し、縦書きの消火器という文字だけのタイプの消防標識に対しては全長４００ｍｍの本プレートを適用する一例を示しているが、消防標識掲出プレートのサイズを極小化する必要のない場合は、全長４００ｍｍの本プレートに両タイプの消防標識を適用しても何ら問題ない。【００８７】  なお実施例１では、上下の面の無い扁平な角型管状構造が使用されているが、上下の面が存在する扁平な六面体構造を使用しても構わない。【００８８】  実施例１は上述の構成からなるので、縦書きの消火器という文字の下に下矢印が付属したタイプ、文字のみタイプの消防標識と消火器を設置するには、次の方法で行う。【００８９】  実施例１では、縦×横×厚みが２４０ｍｍ×８０ｍｍ×１ｍｍ、あるいは２５０ｍｍ×９０ｍｍ×１ｍｍの縦書き消防標識を消防標識掲出プレートに装着するには、消防標識の垂直中心線の上下端から１３±３ｍｍの位置に直径４±０．５ｍｍの小孔を一個ずつ穿孔する。既存の小孔が使用可能な位置にある場合は、これを使用しても構わない。【００９０】  実施例１で、長さの異なる消防標識を直線状の消防標識掲出プレートに装着するには、座金を付けた消防標識装着用の小ネジを消防標識の上下余白の小孔に通し、小ネジを上部長穴１、下部長穴２に挿入し、本プレートと消防標識の上端を揃えて裏面の切り欠き部６、および角穴１１から小ネジに適合する蝶ナットで締め付ける。小ネジの規格は、外径２〜３ｍｍ×長さ８〜１０ｍｍのステンレス製なべ頭小ネジ、またはトラス頭小ネジ、または極低頭小ネジ、または超極低頭小ネジ、好ましくは外形３ｍｍ×長さ１０ｍｍのステンレス製トラス頭小ネジ、または極低頭小ネジ、または超極低頭小ネジである。蝶ナットの規格は、１種、または２種、または３種、翼幅１６〜１７ｍｍ、翼高６．５〜７．５ｍｍ、好ましくはステンレス製３種、翼幅１６ｍｍ、翼高６．５ｍｍである。前記規格の小ネジや蝶ナットを使用すると、消防標識装着用の小ネジの先端部やナットは、本プレートの空洞部に収納されるので壁面を損傷することなく密着して固定できる。なお、消防標識の装着には、本プレートの空洞に納まる高さの六角ナットを使用しても構わない。【００９１】  実施例１で、消防標識掲出プレートの設置対象面が凹凸のある硬質壁面、例えばコンクリート壁、モルタル壁、タイル壁、装飾塗装壁の場合は、深さ約４０ｍｍの下穴を予め穿孔し、樹脂製や金属製の後施工インサート、例えばナイロンプラグを挿入しておく。本プレートの設置対象面が十分に厚い木質の場合は、下穴を作製してインサートナットを設置し、ネジ保持力の低い壁材、例えば石膏ボード、軽カル板の場合は、ボードアンカーを使用する。壁穴を事前加工することによって本プレートを壁面に強固に固定でき、壁穴の再利用が可能になって壁面の美観維持にも有効となる。【００９２】  実施例１で、直線状の消防標識掲出プレートを壁面に固定するには、上部表面小穴３と上部裏面小穴１２、必要あれば下部表面小穴４と下部裏面小穴１３に小ネジを挿入し、上記の事前加工された壁穴に捻じ込んで固定する。本プレートを壁面に固定するための小ネジは、外径３〜４ｍｍ×長さ２０〜３０ｍｍ、好ましくは外径３ｍｍ×長さ３０ｍｍのステンレス製なべ頭タッピングネジ、またはトラス頭タッピングネジである。本プレートの壁面固定用小ネジを上記規格にすると、例えば外径３ｍｍのステンレス製タッピングネジ１本あたり約６３５Ｎ、つまり６４．７ｋｇｆのせん断荷重まで使用可能となる。最も一般的に使用される粉末消火器１０型の総重量は約５ｋｇ、最大の２０型が約１０ｋｇなので、上記の小ネジを使用すると本プレートを壁面に固定するための十分な捻じ込み長さを確保して、下端に設置される全種類の移動式粉末消火器の荷重に対応することができる。【００９３】  なお実施例１では、消防標識掲出プレートと壁との間の摩擦が大きく回転する懸念がないならば、上部表面小穴３および上部裏面小穴１２だけの使用で構わないし、回転する場合は下部表面小穴４、および下部裏面小穴１３も同時に使用して本プレートを固定する。【００９４】  実施例１では、消防標識掲出プレートが完全に壁に固定されたら、下端の懸架フック５に消火器の吊り環を架けて消火器を設置する。【００９５】  なお実施例１では、脚部８の正対している表面小穴、および裏面小穴が垂直中心線上の上部、および下部の２箇所以外の位置に穿孔されている場合は、壁との摩擦の大小による本プレートの左右方向の回転防止を考慮して、垂直中心線上の上部、および下部以外の穿孔位置の選択、または垂直中心線に対して左右対称な穿孔位置の選択、または両方の穿孔位置の選択により壁面に本プレートを固定しても構わない。
【実施例２】
【００９６】  以下に、実施例１における構造から裏面を除去した断面が凹形の構造に、縦書きのプラスチック製消火器消防標識を装着し、下端に消火器も設置する一実施例を示す。裏面のない構造では、実施例１の切り欠き部６、および角穴１１、上部裏面小穴１２、および下部裏面小穴１３が不要になり、製造工程の単純化、軽量化、経費節減を実現できる。【００９７】  実施例２では、裏面のない断面が凹形の消防標識掲出プレートは、実施例１において長さ３６０ｍｍ、および４００ｍｍに切断したステンレス製フラット角パイプの裏面を切断除去するか、ステンレス板の加工で同様の構造を作製して直線状の消防標識掲出プレートとし、実施例１におけるフラット角パイプの木口に相当する部分を上下方向に使用する。実施例１と同様に本プレート厚さを９ｍｍにすると、消火器消防標識を本プレートに装着するための小ネジには長さ１０ｍｍ以下の規格が使用可能で、裏面から小ネジに捻じ込む蝶ナットには翼高７．５ｍｍ以下の規格が使用可能である。【００９８】  なお実施例２では、縦書きの消火器という文字の下に下矢印が付属した消防標識、および文字のみの消防標識を装着するための消防標識掲出プレートの縦の長さの選択基準は、実施例１と同様である。【００９９】  実施例２では、裏面のない断面が凹形の消防標識掲出プレートは、実施例１の構造から裏面を除去した構造、および寸法と全く同一である。【０１００】  実施例２では、実施例１における消防標識掲出面７に設けられている上部長穴１に相当する構造の中心点の横位置、および縦位置は、実施例１と同一である。【０１０１】  実施例２では、実施例１における消防標識掲出面７に設けられている上部長穴１に相当する構造の横幅、および縦幅は、実施例１と同一である。よって、上部長穴１に相当する構造と木口面との間の余白も実施例１と同一幅となり、消防標識装着用の小ネジを上部長穴１に相当する構造の上端部に挿入し、裏面の凹部から翼幅１７ｍｍ以下の蝶ナットを捻じ込んだときに、縦向きの角度で締め終わった蝶ナットの木口寄りの片翼が、余白に遮蔽され表面から見ると整然とした外観となる。【０１０２】  実施例２では、実施例１における消防標識掲出面７に設けられている下部長穴２に相当する構造の中心点の横位置、および縦位置は、実施例１と同一である。【０１０３】  実施例２では、実施例１における消防標識掲出面７に設けられている下部長穴２に相当する構造の横幅、および縦幅は、実施例１と同一である。【０１０４】  なお実施例２では、実施例１における消防標識掲出面７に設けられている上部長穴１、下部長穴２に相当する構造の中心点の縦位置は、実施例１での変形例を適用しても構わない。【０１０５】  なお実施例２では、実施例１における消防標識掲出面７に設けられている上部長穴１、下部長穴２に相当する構造の横幅、および縦幅は、実施例１での変形例を適用しても構わない。【０１０６】  実施例２では、実施例１における脚部８に設けられている上部表面小穴３に相当する構造の中心点の横位置、および縦位置は、実施例１と同一である。【０１０７】  実施例２では、実施例１における脚部８に設けられている下部表面小穴４に相当する構造の中心点の横位置、および縦位置は、実施例１と同一である。【０１０８】  実施例２では、実施例１における脚部８に設けられている上部表面小穴３、および下部表面小穴４に相当する構造の直径は、実施例１と同一である。【０１０９】  実施例２では、実施例１における脚部８の下端中央に設けられている懸架フック５に相当する構造は、実施例１で使用された消火器用フックを同一の方法で接合する。なお、懸架フック５に相当する構造には、前記の消火器用フックの同等品を使用しても構わない。【０１１０】  なお実施例２では、実施例１における脚部８に設けられている上下の表面小穴に相当する構造は、実施例１と同様の垂直中心線上の上部、および下部の２箇所に限定されるのではなく、実施例１の穿孔位置を変えた変形例を適用しても構わない。【０１１１】  実施例２では、消防標識掲出プレートの長さを極小化する必要のない場合のプレートサイズの選定基準は、実施例１と同一である。【０１１２】  なお実施例２では、上下の面の無い扁平な角型管状構造から裏面を除去した構造やステンレス板の加工で作製された同様の構造が使用されているが、上下の面が存在する扁平な六面体構造から裏面を除去した構造やステンレス板の加工で作製された上下の面が存在する同様の構造を使用しても構わない。【０１１３】  実施例２は上述の構成からなるので、縦書きの消火器という文字の下に下矢印が付属したタイプ、および文字のみタイプの消防標識と消火器を設置するには、次の方法で行う。【０１１４】  実施例２では、消防標識の上下余白に穿孔される小孔の位置、寸法、数は、実施例１と同様である。また、既存の小孔の使用基準も同一である。【０１１５】  実施例２で、縦の長さの異なる消防標識を裏面のない直線状の消防標識掲出プレートに装着するには、座金を付けた消防標識装着用の小ネジを消防標識の上下余白の小孔に通して、小ネジを実施例１における上部長穴１、下部長穴２に相当する構造に挿入し、本プレートと消防標識の上端を揃えて裏面の凹部から小ネジに適合する蝶ナットで締め付ける。使用される小ネジ、および蝶ナットは、実施例１と同一規格である。実施例２の本プレートは、実施例１から裏面を除去した構造なので蝶ナットの回転が容易になり、実施例１と同一の小ネジ、蝶ナットの使用により小ネジの先端部や蝶ナットは、本プレートの凹部に収納されて壁面を損傷することなく密着して固定できる。なお、消防標識の装着には、本プレートの凹部に納まる高さの六角ナットを使用しても構わない。【０１１６】  実施例２では、壁の素材の違いによる壁穴の事前加工の方法は、実施例１と同様に行なう。壁穴の事前加工により本プレートを壁面に強固に固定でき、壁穴の再利用が可能になって壁面の美観維持にも効果的である。【０１１７】  実施例２で、裏面のない直線状の消防標識掲出プレートを壁面に固定するには、実施例１における上部表面小穴３に相当する構造、必要があれば下部表面小穴４に相当する構造に壁面固定用の小ネジを挿入し、上記の事前加工された壁穴に捻じ込んで本プレートを固定する。壁面固定用の小ネジは、実施例１と同一規格である。実施例１と同一の小ネジを使用すると、本プレートを壁面に固定するための十分な捻じ込み長さを確保して、下端に設置さ���る全種類の移動式粉末消火器の荷重に対応することができる。【０１１８】  なお実施例２では、裏面のない消防標識掲出プレートと壁との間の摩擦が大きく回転する懸念がないならば、実施例１における上部表面小穴３に相当する構造だけの使用でも構わないし、回転する場合は実施例１における下部表面小穴４に相当する構造も同時に利用して本プレートを壁に固定する。【０１１９】  実施例２では、本プレートへの消火器の設置方法は、実施例１と同様に行なう。【０１２０】  なお実施例２では、実施例１の脚部８に設けられている表面小穴に相当する構造が垂直中心線上の上部、および下部の２箇所以外の位置に穿孔されている場合は、実施例１の穿孔位置を変えた変形例と同様の方法で壁面に本プレートを固定しても構わない。
【実施例３】
【０１２１】  以下に、消火器とだけ横書きされたプラスチック製消防標識を本発明に装着し、下端に消火器も設置する一実施例を示す。【０１２２】  横書きで消火器とだけ表示された市販の消防標識のサイズは、縦×横×厚みが９０ｍｍ×２５０ｍｍ×１ｍｍのものが主流である。【０１２３】  実施例３では、長さ×幅×厚さが４０００ｍｍ×６５〜７５ｍｍ×９〜１２ｍｍ、肉厚１．０〜１．５ｍｍ、好ましくは長さ×幅×厚さが４０００ｍｍ×７５ｍｍ×９ｍｍ、肉厚１．５ｍｍのステンレス製フラット角パイプを２５０ｍｍ、および１６０ｍｍの長さに切断し、前者の９ｍｍ×２５０ｍｍの面の中央に後者の木口面を溶接、またはリベットで直角に接合してＴ字形の外観構造を有する消防標識掲出プレートとする。厚さ９ｍｍのステンレス製フラット角パイプを使用すると、消火器消防標識を本プレートに装着するための小ネジには長さ１０ｍｍ以下の規格が使用可能で、裏面から小ネジに捻じ込む蝶ナットには翼高７．５ｍｍ以下の規格が使用可能である。【０１２４】  実施例３では、図３におけるＴ字形をした消防標識掲出プレートの長さ２５０ｍｍの水平部分の表側は、消防標識が装着される消防標識掲出面２７、長さ１６０ｍｍの垂直部分は、本プレートを壁面に固定するための脚部２８を示し、内部は空洞である。脚部２８の上部、下部には本プレートを壁に固定するための貫通孔である小穴が穿孔され、表側の下端中央には消火器を掛け下げるための懸架フック２５が装着される。【０１２５】  実施例３では、図３における消防標識掲出面２７の水平中心線の左右端から１３ｍｍの位置を左長穴２１、右長穴２２の中心点とする。また、図４における消防標識掲出面２７の裏面の水平中心線の左右端から１３ｍｍの位置を右切り欠き部２６、左切り欠き部３１の中心点とする。左長穴２１と左切り欠き部３１の中心点、および、右長穴２２と右切り欠き部２６の中心点は、同一直線上にある。これらの中心点は、横書き消防標識の左右余白に穿孔される消防標識装着用の小ネジを通すための小孔の中心点とも重なっている。【０１２６】  実施例３では、左長穴２１、右長穴２２の寸法は、横幅１０ｍｍ、縦幅４ｍｍの長方形である。左長穴２１、右長穴２２の横幅を前記の寸法にすることにより、左長穴２１、右長穴２２と木口面との間の余白は８ｍｍとなり、消防標識装着用の小ネジを左長穴２１、右長穴２２の木口寄りの端部に挿入し、裏面の右切り欠き部２６、左切り欠き部３１から翼幅１７ｍｍ以下の蝶ナットを捻じ込んだときに、横向きの角度で締め終わった蝶ナットの木口寄りの片翼が、余白に遮蔽され表面から見ると整然とした外観となる。【０１２７】  実施例３では、右切り欠き部２６、左切り欠き部３１は、横幅２６ｍｍ、縦幅１８ｍｍの長方形で、両切り欠き部の木口寄りの辺が消防標識掲出面２７の木口面と同一位置にあるので、木口寄り端部が開いた構造である。両切り欠き部を上記の寸法にすると、六角ナット以外に翼幅１７ｍｍ以下の蝶ナットで左長穴２１、右長穴２２に挿入した消防標識装着用の小ネジの締め付けが可能となり、ナットを指先で挟み持つ空間も確保できる。【０１２８】  なお実施例３では、左長穴２１、右長穴２２の中心点の横位置は、上記に限定されているのではなく、横書き消防標識の消火器という文字の左右余白と重なる範囲内であって、消防標識を本プレートに装着するための小ネジを挿入してナットで締め付け可能な位置ならば左右に移動しても構わない。従って、左長穴２１、右長穴２２と左右の木口面との間の余白の幅も中心点の位置によって変化するが、余白が狭くなると使用できるナットは六角ナットに限定される様になる。【０１２９】  なお実施例３では、左長穴２１、右長穴２２の横幅は、上記の値に限定されているのではなく、消防標識を本プレートに装着するために消防標識の左右余白に穿孔される小孔の位置精度や加工の難易に応じて上記よりも大きくしたり、小さくしたりしても構わない。【０１３０】  また実施例３では、左長穴２１、右長穴２２の縦幅は、上記の値に限定されているのではなく、最小縦幅は消防標識を本プレートに装着するための小ネジの最小外径まで縮小可能で、最大縦幅は小ネジの頭部を支持できる幅まで拡幅しても構わない。【０１３１】  なお実施例３では、右切り欠き部２６、左切り欠き部３１の中心点の横位置は、上記に限定されているのではなく、表面の左長穴２１、右長穴２２の中心点の横位置の移動と連動して左右に移動しても構わない。【０１３２】  また実施例３では、右切り欠き部２６、左切り欠き部３１の横幅、および縦幅は、上記の値に限定されているのではなく、ナットを挿入できる空間を確保でき本プレートの強度に影響しないならば、上記よりも大きくても、また小さくても構わない。【０１３３】  なお実施例３では、裏面の右切り欠き部２６、左切り欠き部３１の形状は、長方形に限定されているのではなく、直線部分が消防標識掲出面２７の木口面と同一位置にある横向きのＵ字形やＶ字形、半円形、四角形や、全周のある丸穴や四角形穴でも構わない。【０１３４】  実施例３では、図３の脚部２８の表面に、垂直中心線の上端から２５ｍｍの位置を中心点とする上部表面小穴２３を穿孔する。また、図４の脚部２８の裏面に、垂直中心線の上端から２５ｍｍの位置を中心点とする上部裏面小穴３２を穿孔する。上部表面小穴２３と上部裏面小穴３２は、同径同心円の関係にあり、本プレートを壁面に固定するための小ネジを挿入する丸穴である。【０１３５】  実施例３では、図３の脚部２８の表面に、垂値中心線の上端から１３０ｍｍの位置を中心点とする下部表面小穴２４を穿孔する。また、図４の脚部２８の裏面に、垂直中心線の上端から１３０ｍｍの位置を中心点とする下部裏面小穴３３を穿孔する。下部表面小穴２４と下部裏面小穴３３は、同径同心円の関係にあり、本プレートを壁面に固定するための小ネジを挿入する丸穴である。【０１３６】  実施例３では、Ｔ字形をした消防標識掲出プレートを壁面に固定するための上下の表面小穴、および裏面小穴の直径は、実施例１と同一である。【０１３７】  実施例３では、図３の脚部２８の下端中央に設けられる懸架フック２５は、実施例１で使用された消火器用フックを同一方法で接合する。なお、懸架フック２５には、前記の消火器用フックの同等品を使用しても構わない。【０１３８】  なお実施例３では、脚部２８に設けられる正対している表面小穴、および裏面小穴は、上記の垂直中心線上の上部と下部の２箇所に限定���れているのではなく、垂直中心線上の他の位置に１箇所以上、垂直中心線に対して左右対称な位置に１対以上穿孔しても構わない。これらの位置を変えた表面小穴、および裏面小穴の穿孔は、垂直中心線上の位置、垂直中心線に対して左右対称の位置のどちらか一方でも、両方同時でも構わない。【０１３９】  なお上述の実施例３では、消防標識掲出プレートには端部のないフラット角パイプをＴ字形に組み合わせて使用していたが、フラット角パイプの全面が揃った扁平な六面体構造をＴ字形に組み合わせても構わない。【０１４０】  実施例３は上述の構成からなるので、横書きで消火器とだけ記載された消火器消防標識を壁面に表示し消火器も設置するには、次の方法によって行う。【０１４１】  実施例３で、縦×横×厚みが９０ｍｍ×２５０ｍｍ×１ｍｍの横書き消防標識をＴ字形の消防標識掲出プレートに装着する場合には、消防標識の水平中心線の左右端から１３±３ｍｍの位置に直径４±０．５ｍｍの小孔を一個ずつ穿孔する。既存の小孔が使用可能な位置にあるときには、これを使用しても構わない。【０１４２】  実施例３で、消防標識をＴ字形の消防標識掲出プレートに装着するには、座金を付けた消防標識装着用の小ネジを消防標識の左右余白の小孔に通して、図３の左長穴２１、右長穴２２に小ネジを挿入し、消防標識掲出面２７と消防標識の左右端を一致させて裏面にある右切り欠き部２６、左切り欠き部３１から小ネジに適合する蝶ナットで締め付ける。なお、使用される小ネジ、蝶ナットは、実施例１と同一規格である。実施例１と同一の小ネジ、蝶ナットを使用すると、小ネジの先端部や蝶ナットは、本プレートの空洞部に収納されるので壁面を損傷せずに密着して固定できる。なお、消防標識の装着には、本プレートの空洞に納まる高さの六角ナットを使用しても構わない。【０１４３】  実施例３では、壁の素材の違いによる壁穴の事前加工の方法は、実施例１の場合と同様に行なう。壁穴を事前加工することで本プレートを壁面に強固に固定でき、壁穴の再利用が可能になって壁の美観維持にも効果がある。【０１４４】  実施例３で、Ｔ字形をした消防標識掲出プレートを壁面に固定するには、上部表面小穴２３と上部裏面小穴３２、必要あれば下部表面小穴２４と下部裏面小穴３３に壁面固定用の小ネジを挿入し、上記の事前加工された壁穴に捻じ込んで固定する。壁面固定用の小ネジは、実施例１と同一規格である。実施例１と同一の小ネジを使用すると、本プレートを壁面に固定するための十分な捻じ込み長さを確保して、下端に設置される全種類の移動式粉末消火器の荷重に対応することができる。【０１４５】  なお実施例３では、Ｔ字形の消防標識掲出プレートと壁との間の摩擦が大きく回転する懸念がないならば、上部表面小穴２３および上部裏面小穴３２だけの使用で構わないし、回転する場合は下部表面小穴２４、および下部裏面小穴３３も同時に利用して本プレートを壁に固定する。【０１４６】  実施例３では、Ｔ字形の消防標識掲出プレートが完全に壁に固定されたら、下端の懸架フック２５に消火器の吊り環を架けて消火器を設置する。【０１４７】  なお実施例３では、脚部２８に設けられている正対している表面小穴、および裏面小穴が垂直中心線上の上部、お���び下部の２箇所以外の位置に穿孔されている場合は、壁との摩擦の大小による本プレートの左右方向の回転防止を考慮して、垂直中心線上の上部、および下部以外の穿孔位置の選択、または垂直中心線に対して左右対称な穿孔位置の選択、または両方の穿孔位置の選択により壁面に本プレートを固定しても構わない。
【実施例４】
【０１４８】  以下に、実施例３の構造から裏面を除去した断面が凹形の構造に、横書きプラスチック製消火器消防標識を装着し、下端に消火器も設置する一実施例を示す。裏面を除去した構造を採用すると、実施例３における右切り欠き部２６、左切り欠き部３１、上部裏面小穴３２、および下部裏面小穴３３が不要となり、製造工程の単純化、軽量化、経費節減を実現できる。【０１４９】  実施例４では、外観がＴ字形をした裏面のない断面が凹形の構造は、実施例３において２５０ｍｍ、および１６０ｍｍに切断されたステンレス製フラット角パイプの裏面を切断除去してＴ字形の外観構造をなす消防標識掲出プレートとするか、ステンレス板の加工によって同様の構造を作製する。実施例３と同様に本プレートの厚さを９ｍｍにすると、消防標識装着用の小ネジには長さ１０ｍｍ以下の規格が使用可能で、裏面から小ネジに捻じ込む蝶ナットには翼高７．５ｍｍ以下の規格が使用可能である。【０１５０】  実施例４では、横書き消防標識に適用する外観がＴ字形をした裏面のない断面が凹形の消防標識掲出プレートは、実施例３の構造から裏面を除去した構造、および寸法と全く同一である。【０１５１】  実施例４では、実施例３における消防標識掲出面２７に設けられている左長穴２１、右長穴２２に相当する構造の中心点の横位置、および縦位置は、実施例３と同一である。【０１５２】  実施例４では、実施例３における消防標識掲出面２７に設けられている左長穴２１、右長穴２２に相当する構造の横幅、および縦幅は、実施例３と同一である。よって、左長穴２１、右長穴２２に相当する構造と木口面との間の余白も実施例３と同一幅となり、消防標識装着用の小ネジを左長穴２１、右長穴２２に相当する構造の木口寄り端部に挿入し、裏面の凹部から翼幅１７ｍｍ以下の蝶ナットを捻じ込んだときに、横向きの角度で締め終わった蝶ナットの木口寄りの片翼が、余白に遮蔽され表面から見ると整然とした外観となる。【０１５３】  なお実施例４では、実施例３における消防標識掲出面２７の表面に設けられている左長穴２１、右長穴２２に相当する構造の中心点の横位置は、実施例３での変形例を適用しても構わない。【０１５４】  なお実施例４では、実施例３における消防標識掲出面２７の表面に設けられている左長穴２１、右長穴２２に相当する構造の横幅、縦幅は、実施例３での変形例を適用しても構わない。【０１５５】  実施例４では、実施例３における脚部２８に設けられている上部表面小穴２３に相当する構造の中心点の横位置、および縦位置は、実施例３と同一である。【０１５６】  実施例４では、実施例３における脚部２８に設けられている下部表面小穴２４に相当する構造の中心点の横位置、および縦位置は、実施例３と同一である。【０１５７】  実施例４では、実施例３における脚部２８に設けられている上部表面小穴２３、および下部表面小穴２４に相当する構造の直径は、実施例１と同一である。【０１５８】  実施例４では、実施例３における脚部２８の下端中央に設けられている懸架フック２５に相当する構造は、実施例１の消火器用フックを同一方法で接合する。なお、懸架フック２５に相当する構造には、前記の消火器用フックの同等品を使用しても構わない。【０��５９】  なお実施例４では、実施例３における脚部２８に設けられている表面小穴に相当する構造は、実施例３と同様の垂直中心線上の上部、および下部の２箇所に限定されているのではなく、実施例３の穿孔位置を変えた変形例を適用しても構わない。【０１６０】  なお実施例４では、端部の面のない扁平な角型管状構造から裏面を除去してＴ字形の消防標識掲出プレートとするか、ステンレス板の加工で同様の構造を作製しているが、端部の面が存在する扁平な六面体構造から裏面を除去してＴ字形の構造とするか、ステンレス板の加工で作製した端部の面が存在する同様の構造を使用しても構わない。【０１６１】  実施例４は上述の構成からなるので、横書きで消火器とだけ記載された消火器消防標識を壁面に表示し消火器も設置するには、次の方法によって行う。【０１６２】  実施例４では、消防標識の左右余白に穿孔される消防標識装着用の小孔の位置、寸法、数は、実施例３と同一である。また、既存の小孔の使用基準も同一である。【０１６３】  実施例４で、消防標識をＴ字形の裏面のない消防標識掲出プレートに装着するには、座金を付けた消防標識装着用の小ネジを消防標識の左右余白の小孔に通して、小ネジを実施例３における左長穴２１、右長穴２２に相当する構造に挿入し、本プレートと消防標識の左右端を揃えて裏面の凹部から小ネジに適合する蝶ナットで締め付ける。小ネジ、および蝶ナットは、実施例１と同一規格である。実施例４の本プレートは、実施例３から裏面を除去した構造なので蝶ナットの回転が容易になり、実施例１と同一の小ネジ、蝶ナットの使用により小ネジの先端部、および蝶ナットは、本プレートの凹部に収納されて壁面に密着して固定することができる。なお、消防標識の装着には、本プレートの凹部に納まる高さの六角ナットを使用しても構わない。【０１６４】  実施例４では、壁の素材の違いによる壁穴の事前加工の方法は、実施例１の場合と同様に行なう。壁穴の事前加工により本プレートを壁面へ強固に固定でき、壁穴の再利用が可能になって壁面の美観維持にも有効となる。【０１６５】  実施例４で、Ｔ字形の裏面のない消防標識掲出プレートを壁面に固定するには、実施例３における上部表面小穴２３に相当する構造、必要があれば下部表面小穴２４に相当する構造に壁面固定用の小ネジを挿入し、上記の事前加工された壁穴に捻じ込む。壁面固定用の小ネジは、実施例１と同一規格である。実施例１と同一の小ネジを使用すると、本プレートを壁面に固定するための十分な捻じ込み長さを確保して、下端に設置される全種類の移動式粉末消火器の荷重に対応することができる。【０１６６】  なお実施例４では、Ｔ字形の裏面のない消防標識掲出プレートと壁との間の摩擦が大きく回転する懸念がないならば、実施例３の上部表面小穴２３に相当する構造だけの使用で構わないし、回転する場合は下部表面小穴２４に相当する構造も同時に利用して本プレートを壁に固定する。【０１６７】  実施例４では、Ｔ字形で裏面のない消防標識掲出プレートへの消火器の設置方法は、実施例３と同様に行なう。【０１６８】  なお実施例４では、実施例３における脚部２８に設けられている表面小穴に相当する構造が垂直中心線上の上部、および下部の２箇所以外の位置に穿孔されている場合は、実施例３の穿孔位置を変えた変形例と同様の方法で壁面に本プレートを固定しても構わない。
【実施例５】
【０１６９】  以下に、大型消防標識を本発明に装着し、下端に消火器も設置する一実施例を示す。【０１７０】  消火器の存在を明示する大型消防標識には、例えば横書きの消火器という文字の下部に消火器の使用方法を記載したタイプ、消火器のイメージ図の下部に消火器と横書きしたタイプ、消火器のイメージ図の横に消火器と横書きしたタイプが実用化されていて、例えば縦×横が２００ｍｍ×４００ｍｍ、３００ｍｍ×２００ｍｍ、４５０ｍｍ×３００ｍｍ、２１５ｍｍ×２５０ｍｍで、厚みが１〜１．５ｍｍのものが主流である。【０１７１】  実施例５では、大型消火器消防標識を装着するための消防標識掲出プレートは、実施例３、および実施例４と同様のＴ字形構造で、実施例３における消防標識掲出面２７、および実施例４における相当部分を各消防標識に適合したサイズに面拡大した構造である。その他の部位の位置、構造、寸法は、実施例３、および実施例４と同一である。実施例５においては、本プレートへの大型消防標識の装着方法、本プレートの壁面への設置方法、本プレートへの消火器の設置方法は、実施例３、および実施例４と同一である。また、実施例５では、消防標識装着用の小ネジの規格、壁面素材の違いによる壁穴の事前加工方法、本プレートを壁面に固定するための小ネジの規格は、実施例１と同一である。
【実施例６】
【０１７２】  実施例６では、実施例１〜５で示した消防標識掲出プレートの下部に消火器の外周を取り囲む構造を付加することで、消火器を更に安定して設置できることを説明する。【０１７３】  実施例６では、図１の脚部８、図１から裏面を除去した構造の脚部８に相当する構造、図３の脚部２８、図３から裏面を除去した構造の脚部２８に相当する構造の下部、好ましくは図１の懸架フック５、および図１から裏面を除去した構造の懸架フック５に相当する構造、図３の懸架フック２５、および図３から裏面を除去した構造の懸架フック２５に相当する構造の両脇部分に、消火器本体容器の外周を取り囲む形状をしたコイルバネ、チェーン、金属、皮革、ゴム、合成繊維、前記素材の複合素材からなる環状構造、および前記の素材に結合部品、例えばキャッチクリップ、プラスチック製差込みバックル、面ファスナーが付属した締め具を装着する。【０１７４】  実施例１〜５の消防標識掲出プレートに上記の環状構造が付設されている場合は、環状構造に消火器本体容器を挿入し、消火器背面の吊り環を図１の懸架フック５、図１から裏面を除去した構造の懸架フック５に相当する構造、図３の懸架フック２５、図３から裏面を除去した構造の懸架フック２５に相当する構造に掛け下げて固定する。実施例１〜５の消防標識掲出プレートに上記の締め具が付設されている場合は、先に消防標識掲出プレートに消火器を掛け下げ、締め具の結合部品を組み合わせて環状構造を形成し、消火器本体容器を固定する。
【実施例７】
【０１７５】  実施例１〜６では、消防標識掲出プレートにプラスチック製の消火器消防標識を取付ける例を示したが、裏面全体に接着剤が塗布されたステッカータイプや金属製の消防標識を本プレートに適用することもできる。
【符号の説明】
【０１７６】  １  上部長穴
２  下部長穴
３  上部表面小穴
４  下部表面小穴
５  懸架フック
６  切り欠き部
７  消防標識掲出面
８  脚部
９  リベット
１０  リベット
１１  角穴
１２  上部裏面小穴
１３  下部裏面小穴
２１  左長穴
２２  右長穴
２３  上部表面小穴
２４  下部表面小穴
２５  懸架フック
２６  右切り欠き部
２７  消防標識掲出面
２８  脚部
２９  リベット
３０  リベット
３１  左切り欠き部
３２  上部裏面小穴
３３  下部裏面小穴
【図１】
2014223267.tif 000003
【図２】
2014223267.tif 000004
【図３】
2014223267.tif 000005
【図４】
2014223267.tif 000006
【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
外観形状の異なる縦書き消火器消防標識、横書き消火器消防標識、大型消火器消防標識に適合し、標識の壁面表示と消火器設置のための支持体である角形管状構造や六面体構造であって、消防標識掲出面、脚部、引っ掛け金具から構成され、これによって凹凸壁への消防標識の表示、壁面からの消防標識の脱落防止、壁面素材の損傷防止、消防標識表示機能と消火器設置機能の一体化、消火器の移動防止、消防標識の破壊・持ち去り防止、消火器底部の腐食防止、清掃時の移動の煩わしさの解消の実現を特徴とする消火器懸架フック付きの壁面用消防標識掲出プレート、および前記構成から裏面を除去した消火器懸架フック付きの壁面用消防標識掲出プレート。
【手続補正２】
【補正対象書類名】明細書
【補正対象項目名】００１４
【補正方法】変更
【補正の内容】
【００１４】  本発明は、前記の課題を解決するために以下の構成を採用した。
即ち、本発明は、外観形状の異なる縦書き消火器消防標識、横書き消火器消防標識、大型消火器消防標識に適合し、標識の壁面表示と消火器設置のための支持体である扁平で内部が空洞の角形管状構造や六面体構造、および前記構造から裏面を除去した構成からなる。ここで言う扁平で内部が空洞の角形管状構造や六面体構造とは、前者が板状で断面が長方形の両端が開いた管状構造を、後者が板状で断面が長方形の全ての面が閉じた中空の箱型構造を意味するものである。
【手続補正３】
【補正対象書類名】明細書
【補正対象項目名】００１５
【補正方法】変更
【補正の内容】
【００１５】本発明の扁平で内部が空洞の角形管状構造や六面体構造は、概略上半面を占める消防標識を装着するための消防標識掲出面、概略下半面を占める壁面に本支持体を固定するための脚部、脚部下端に接合された消火器を掛け下げるための引っ掛け金具から構成された消火器懸架フック付きの壁面用消防標識掲出プレート、および上記構成から裏面を除去した断面が凹形の消火器懸架フック付きの壁面用消防標識掲出プレートである。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】変更
【補正の内容】
【００１７】本発明の使用法は、次の通りである。縦書き消火器消防標識、横書き消火器消防標識、大型消火器消防標識の上下余白、または左右余白に穿孔された小孔を利用して、本発明の空洞に収納可能な装着部品で消防標識を消防標識掲出面に装着する。本発明の脚部を利用して、本発明を消防法施行規則による規定場所であって規定高さの範囲内で消火器底部が床面から離れる高さの壁穴に固定する。本発明を壁面に固定したら、消火器背面の吊り環を引っ掛け金具に架け下げる。本発明における裏面を除去した構成では、消防標識掲出面に消防標識を装着し、壁面への固定は残された脚部を利用して壁穴に固定する。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】  上記の様に構成された消火器懸架フック付きの壁面用消防標識掲出プレートによれば、次のような効果が得られる。
（１）  本発明は、壁の表面状態に関係なく消火器消防標識を表示でき、消防標識が壁面から脱落せず、消防標識を壁面に直接固定しないので壁面素材を傷める懸念がない。
（２）  消火器消防標識を本発明に装着するための装着部品は、本発明内部の空洞や凹部に収納されて、壁面を損傷することなく密着して設置できる。
（３）  本発明は、消防標識表示機能と消火器設置機能が一体化されて壁面に設置されているので、床面の使用上の都合から消火器を移動される心配がなく、消防法施行規則の標識の表示条件、および消火器設置条件を常に満足し、非常時の標識視認性や地震などによる転倒防止も確保されている。
（４）  消火器消防標識は、本発明の消防標識掲出面に装着され、本発明は壁面に固定されているので悪戯による破壊や持ち去られる心配がない。
（５）  本発明に設置された消火器は、底部が床面から離れているので、湿気による腐食も発生せず、清掃時の移動の煩わしさも解消される。
（６）  本発明は、扁平な形状をしていて消防標識、および消火器の背面にあって目立たないので、建築物や室内環境との違和感を生じない。
【手続補正９】
【補正対象書類名】明細書
【補正対象項目名】００６２
【補正方法】変更
【補正の内容】
【００６２】なお、大型消防標識の場合は、横書きの消火器という文字の下部に消火器の使用方法を記載したタイプ、消火器のイメージ図の下部に消火器と横書きしたタイプ、消火器のイメージ図の横に消火器と横書きしたタイプなど様々な種類があり、横書き消火器消防標識を基本にして記載面を拡大し、消火器使用法、イメージ図などを加えたデザインと見なすことができる。このため、大型消防標識に適用するための構成は、第二実施形態における消防標識掲出面２７を消防標識の外観形状に適合するように拡大し、それ以外の構成は第二実施形態と同一とする。また、消防標識の装着方法、壁面への設置方法、消火器の設置方法は、第二実施形態と同一である。また、第二実施形態における消防標識掲出面２７を拡大して大型消火器消防標識を表示できるようにした構成から裏面を除去した断面が凹型の構成でも、同様の目的を達することができる。
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
扁平で直線状の角形管状構造や六面体構造、扁平で直線状の角形管状構造や六面体構造をＴ字形に接合した構造、これらの構造から裏面を除去した断面が凹形のプレートにおいて、
縦書き消火器消防標識を装着するための扁平で直線状の角形管状構造や六面体構造、これらの構造から裏面を除去した断面が凹形構造の長手方向を上下に配置したプレートでは、
表面の概略上半面を占めていて消防標識の外形に適合する形状をなし、消防標識装着用の装着穴を上下に有する消防標識掲出面と、
裏面があるプレートでは裏面に表裏が相対する位置に設けた装着穴と、
概略下半面を占めていて消防標識掲出面の下方に連続して連なり、壁面にプレートを固定するための貫通孔を有する、消火器頂部から吊り環までと概略同等の長さの脚部と、
脚部下端に消火器を掛け下げるための引っ掛け金具と、を備え、
横書き消火器消防標識または大型消火器消防標識を装着するための扁平で直線状の角形管状構造や六面体構造をＴ字形に接合した構造、これらの構造から裏面を除去したＴ字形で断面が凹形構造の水平部分を上方に配置したプレートでは、
水平部分の表面であって消防標識の外形に適合する形状をなし、消防標識装着用の装着穴を左右に有する消防標識掲出面と、
裏面があるプレートでは裏面に表裏が相対する位置に設けた装着穴と、
消防標識掲出面の下方に連続して連なる垂直部分であって、壁面にプレートを固定するための貫通孔を有する、消火器頂部から吊り環までと概略同等の長さの脚部と、
脚部下端に消火器を掛け下げるための引っ掛け金具と、を備え、
上記プレートの厚みが、消防標識装着に必要な最小規格の装着部品の先端をその空洞部や凹部にピッタリ収納できる薄型に形成されることを特徴とし、
上記構成によれば、消防標識が、その外形に適合する消防標識掲出面に装着穴を介して機械的に装着され、プレート自体が、脚部の貫通孔を介して壁穴に機械的に固定され、その壁穴が、引っ掛け金具に掛け下げた消火器底部が床面から離れ、且つ消火器頂部が法令規定の高さ以下に納まる位置に穿孔されるので、壁面に固定されたプレートに消火器を掛け下げると、消防標識がプレート表面に機械的に装着されているので、凹凸壁やザラザラ壁への表示、壁面からの脱落防止、壁面素材の損傷防止、悪戯による標識の破壊や盗難防止に効果的であり、単一のプレートに消防標識と消火器が表示・設置されているので、消防標識表示機能と消火器設置機能の一体化、消防法施行規則の規定の充足を可能にし、プレート自体が消火器底部が床から離れる高さに機械的に固定されるので、周辺床スペースの使用上の都合による消火器の移動防止、清掃時の消火器移動の煩わしさの解消、湿気による消火器底部の腐食抑制に有効となり、プレート全体が消防標識と消火器の背後に隠れ、薄型化されているので、建築物や室内環境との違和感の解消に役立つ消火器懸架フック付きの壁面用消防標識掲出プレート。
【手続補正２】
【補正対象書類名】明細書
【補正対象項目名】００１４
【補正方法】変更
【補正の内容】
【００１４】  本発明は、上述した課題を解決するためになされたもので、扁平で直線状の角形管状構造や六面体構造、扁平で直線状の角形管状構造や六面体構造をＴ字形に接合した構造、これらの構造から裏面を除去した断面が凹形のプレートである。
本明細書においては、扁平で直線状の角形管状構造や六面体構造とは、前者が細長い板状で断面が長方形の両端が開いた管状構造を、後者が細長い板状で断面が長方形の全ての面が閉じた中空の箱型構造を意味する。また、外形が異なる消火器消防標識とは、縦書き消火器消防標識（消火器と縦書きされた消防標識、および消火器と縦書きされた文字の下に下矢印が付属した標準サイズの消防標識）、横書き消火器消防標識（消火器と横書きされた標準サイズの消防標識）、大型消火器消防標識（例えば、消火器と横書きされた文字の下に消火器の使用方法を記載した消防標識、消火器のイメージ図の下に消火器と横書きした消防標識、消火器のイメージ図の横に消火器と横書きした消防標識のように標準サイズの消防標識よりも表示面が大きな消防標識）を意味する。
【手続補正３】
【補正対象書類名】明細書
【補正対象項目名】００１５
【補正方法】変更
【補正の内容】
【００１５】縦書き消火器消防標識を装着するための扁平で直線状の角形管状構造や六面体構造、これらの構造から裏面を除去した断面が凹形構造の長手方向を上下に配置したプレートは、表面の概略上半面を占めていて消防標識の外形に適合する形状をなし、消防標識装着用の装着穴を上下に有する消防標識掲出面と、裏面があるプレートでは裏面に表裏が相対する位置に設けた装着穴と、概略下半面を占めていて消防標識掲出面の下方に同一幅で連続して連なり、壁面にプレートを固定するための貫通孔を有する、消火器頂部から吊り環までと概略同等の長さの脚部と、脚部下端に消火器を掛け下げるための強固に接合された引っ掛け金具と、を備えている。
【手続補正４】
【補正対象書類名】明細書
【補正対象項目名】００１６
【補正方法】変更
【補正の内容】
【００１６】横書き消火器消防標識または大型消火器消防標識を装着するための扁平で直線状の角形管状構造や六面体構造をＴ字形に接合した構造、これらの構造から裏面を除去したＴ字形で断面が凹形構造の水平部分を上方に配置したプレートは、水平部分の表面であって消防標識の外形に適合する形状をなし、消防標識装着用の装着穴を左右に有する消防標識掲出面と、裏面があるプレートでは裏面に表裏が相対する位置に設けた装着穴と、消防標識掲出面の下方に連続して連なる垂直部分であって、壁面にプレートを固定するための貫通孔を有する、消火器頂部から吊り環までと概略同等の長さの脚部と、脚部下端に消火器を掛け下げるための強固に接合された引っ掛け金具と、を備えている。大型消火器消防標識のための消防標識掲出面は、横書き消火器消防標識のためのプレートの水平部分を個々の大型消防標識の表示面に適合するサイズに面拡大する。
【手続補正５】
【補正対象書類名】明細書
【補正対象項目名】００１７
【補正方法】変更
【補正の内容】
【００１７】上記プレートの厚みは、消防標識装着に必要な最小規格の装着部品の先端をその空洞部や凹部にピッタリ収納できる薄型に形成される。この厚みは、消防標識が装着されたプレートと壁面との段差を小さくして目立たないように密着固定し、且つ装着部品の先端で壁面素材を傷つけないために有効となる。
【手続補正６】
【補正対象書類名】明細書
【補正対象項目名】００１８
【補正方法】変更
【補正の内容】
【００１８】消防標識掲出面と形状が一致する消火器消防標識は、装着穴を介して消防標識掲出面に機械的に装着され、プレート自体が、脚部の貫通孔を介して壁穴に機械的に固定される。その壁穴は、引っ掛け金具に掛け下げた消火器底部が床面から離れ、消火器頂部を消防法施行規則に規定された床面から１．５ｍ以下に納めることができる位置に穿孔される。プレートが壁面に固定されたら、引っ掛け金具に消火器背面の吊り環を掛け下げる。プレートを壁面に固定するための壁穴は、壁の材質に応じた後施工インサートと呼ばれる補助具を予め挿入すれば再利用可能となるので、消防標識交換の際に新たな壁穴を作製する必要がなくなる。
【手続補正７】
【補正対象書類名】明細書
【補正対象項目名】００１９
【補正方法】変更
【補正の内容】
【００１９】前述の構成によって、消火器消防標識が壁面直付けでなくプレート表面に機械的に装着されているので、凹凸壁やザラザラ壁へ標識を表示でき、標識の主要な固定法である両面テープの劣化による壁面からの脱落が発生せず、交換で古い標識を剥ぎ取る際に両面テープで脆弱な壁面素材が損傷するのを防ぎ、木ネジ固定法に見られる捻じ込み位置の移動による壁面損傷部位の拡大や接着剤固定法に認められる深刻な壁面損傷を防止し、悪戯による標識の破壊・盗難防止に有効となる。また、単一のプレートに消防標識と消火器が表示・設置されているので、消防標識表示機能と消火器設置機能を一体化し、消防法施行規則の消火器具の設置基準や標識の表示基準を常に満足する。加えて、プレート自体が消火器底部が床から離れる高さに機械的に固定されるので、周辺床スペースの使用上の都合で勝手に消火器を移動される心配がなくなり、清掃時の消火器移動も不要となり、消火器本体容器の湿気による腐食を抑制する。更に、プレート全体が消防標識と消火器の背後に隠れ、薄型化されているので、建築物や室内環境との違和感を生じさせない。
【手続補正８】
【補正対象書類名】明細書
【補正対象項目名】００２０
【補正方法】変更
【補正の内容】
【００２０】  上記の様に構成された消火器懸架フック付きの壁面用消防標識掲出プレートによれば、次のような多岐にわたる顕著な効果が得られる。
（１）消防標識がプレート表面に機械的に装着されているので、凹凸壁やザラザラ壁へ標識を表示でき、消防標識の主要な固定法である両面テープの劣化による壁面からの脱落が発生せず、交換で古い消防標識を剥ぎ取る際に両面テープで脆弱な壁面素材が損傷するのを防ぎ、木ネジ固定法に見られる捻じ込み位置の移動による壁面損傷部位の拡大や接着剤固定法に認められる深刻な壁面損傷を防止し、悪戯による標識の破壊や盗難防止に効果的となる。
（２）単一のプレートに消防標識と消火器が表示・設置されているので、消防標識表示機能と消火器設置機能を一体化し、消防法施行規則の消火器具の設置基準や標識の表示基準を常に満足する。
（３）プレート自体が、消火器底部が床から離れる高さの壁穴に機械的に固定されるので、周辺床スペースの使用上の都合で勝手に消火器を移動される心配がなくなり、清掃時の消火器移動も不要となり、消火器本体容器の湿気による腐食を抑制する。
（４）プレート全体が、消防標識と消火器の背後に隠れ、薄型化されているので、建築物や室内環境との違和感を生じさせない。
【手続補正９】
【補正対象書類名】明細書
【補正対象項目名】００６２
【補正方法】変更
【補正の内容】
【００６２】なお、大型消防標識の場合は、消火器と横書きされた文字の下に消火器の使用方法を記載したタイプ、消火器のイメージ図の下に消火器と横書きしたタイプ、消火器のイメージ図の横に消火器と横書きしたタイプなど様々な種類があるが、横書き消火器消防標識を基本にして表示面を拡大し、消火器使用法、イメージ図などを加えたデザインと見なすことができる。したがって、大型消防標識を装着するためのプレートの構成は、第二実施形態における消防標識掲出面２７を消防標識の外形に適合するように拡大し、それ以外の構成は第二実施形態と同一とする。また、消防標識の装着方法、壁面への設置方法、消火器の設置方法は、第二実施形態と同一である。また、第二実施形態における消防標識掲出面２７を拡大して大型消火器消防標識を表示できるようにした構成から裏面を除去した断面が凹型の構成でも、同様の目的を達することができる。
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
扁平で直線状の角形管状構造や六面体構造、扁平で直線状の角形管状構造や六面体構造をＴ字形に接合した構造、これらの構造から裏面を除去した断面が凹形のプレートにおいて、
縦書き消火器消防標識を装着するための扁平で直線状の角形管状構造や六面体構造、これらの構造から裏面を除去した断面が凹形構造の長手方向を上下に配置したプレートでは、
表面の概略上半面を占めていて消防標識の外形に適合する形状をなし、消防標識装着用の装着穴を上下に有する消防標識掲出面と、
裏面があるプレートでは裏面に表裏が相対する位置に設けた装着穴と、
概略下半面を占めていて消防標識掲出面の下方に連続して連なり、壁面にプレートを固定するための貫通孔を有する、消火器頂部から吊り環までと概略同等の長さの脚部と、
脚部下端に消火器を掛け下げるための引っ掛け金具と、を備えるか、
横書き消火器消防標識または大型消火器消防標識を装着するための扁平で直線状の角形管状構造や六面体構造をＴ字形に接合した構造、これらの構造から裏面を除去したＴ字形で断面が凹形構造の水平部分を上方に配置したプレートでは、
水平部分の表面であって消防標識の外形に適合する形状をなし、消防標識装着用の装着穴を左右に有する消防標識掲出面と、
裏面があるプレートでは裏面に表裏が相対する位置に設けた装着穴と、
消防標識掲出面の下方に連続して連なる垂直部分であって、壁面にプレートを固定するための貫通孔を有する、消火器頂部から吊り環までと概略同等の長さの脚部と、
脚部下端に消火器を掛け下げるための引っ掛け金具と、を備え、
上記プレートの厚みが、消防標識装着に必要な最小規格の装着部品の先端をその空洞部や凹部にピッタリ収納できる薄型に形成されることを特徴とし、
上記構成によれば、消防標識が、その外形に適合する消防標識掲出面に装着穴を介して機械的に装着され、プレート自体が、脚部の貫通孔を介して壁穴に機械的に固定され、その壁穴が、引っ掛け金具に掛け下げた消火器底部が床面から離れ、且つ消火器頂部が法令規定の高さ以下に納まる位置に穿孔されるので、壁面に固定されたプレートに消火器を掛け下げると、消防標識がプレート表面に機械的に装着されているので、凹凸壁やザラザラ壁への表示、壁面からの脱落防止、壁面素材の損傷防止、悪戯による標識の破壊や盗難防止に効果的であり、単一のプレートに消防標識と消火器が表示・設置されているので、消防標識表示機能と消火器設置機能の一体化、消防法施行規則の規定の充足を可能にし、プレート自体が消火器底部が床から離れる高さに機械的に固定されるので、周辺床スペースの使用上の都合による消火器の移動防止、清掃時の消火器移動の煩わしさの解消、湿気による消火器底部の腐食抑制に有効となり、プレート全体が消防標識と消火器の背後に隠れ、薄型化されているので、建築物や室内環境との違和感の解消に役立つ消火器懸架フック付きの壁面用消防標識掲出プレート。
【手続補正２】
【補正対象書類名】明細書
【補正対象項目名】００１４
【補正方法】変更
【補正の内容】
【００１４】  本発明は、上述した課題を解決するためになされたもので、扁平で直線状の角形管状構造や六面体構造、扁平で直線状の角形管状構造や六面体構造をＴ字形に接合した構造、これらの構造から裏面を除去した断面が凹形のプレートである。
本明細書においては、扁平で直線状の角形管状構造や六面体構造とは、前者が細長い板状で断面が長方形の両端が開いた管状構造を、後者が細長い板状で断面が長方形の全ての面が閉じた中空の箱型構造を意味する。また、外形が異なる消火器消防標識とは、縦書き消火器消防標識（消火器と縦書きされた消防標識、および消火器と縦書きされた文字の下に下矢印が付属した標準サイズの消防標識）、横書き消火器消防標識（消火器と横書きされた標準サイズの消防標識）、大型消火器消防標識（例えば、消火器と横書きされた文字の下に消火器の使用方法を記載した消防標識、消火器のイメージ図の下に消火器と横書きした消防標識、消火器のイメージ図の横に消火器と横書きした消防標識のように標準サイズの消防標識よりも表示面が大きな消防標識）を意味する。
【手続補正３】
【補正対象書類名】明細書
【補正対象項目名】００１５
【補正方法】変更
【補正の内容】
【００１５】縦書き消火器消防標識を装着するための扁平で直線状の角形管状構造や六面体構造、これらの構造から裏面を除去した断面が凹形構造の長手方向を上下に配置したプレートは、表面の概略上半面を占めていて消防標識の外形に適合する形状をなし、消防標識装着用の装着穴を上下に有する消防標識掲出面と、裏面があるプレートでは裏面に表裏が相対する位置に設けた装着穴と、概略下半面を占めていて消防標識掲出面の下方に同一幅で連続して連なり、壁面にプレートを固定するための貫通孔を有する、消火器頂部から吊り環までと概略同等の長さの脚部と、脚部下端に消火器を掛け下げるための強固に接合された引っ掛け金具と、を備えている。
【手続補正４】
【補正対象書類名】明細書
【補正対象項目名】００１６
【補正方法】変更
【補正の内容】
【００１６】横書き消火器消防標識または大型消火器消防標識を装着するための扁平で直線状の角形管状構造や六面体構造をＴ字形に接合した構造、これらの構造から裏面を除去したＴ字形で断面が凹形構造の水平部分を上方に配置したプレートは、水平部分の表面であって消防標識の外形に適合する形状をなし、消防標識装着用の装着穴を左右に有する消防標識掲出面と、裏面があるプレートでは裏面に表裏が相対する位置に設けた装着穴と、消防標識掲出面の下方に連続して連なる垂直部分であって、壁面にプレートを固定するための貫通孔を有する、消火器頂部から吊り環までと概略同等の長さの脚部と、脚部下端に消火器を掛け下げるための強固に接合された引っ掛け金具と、を備えている。大型消火器消防標識のための消防標識掲出面は、横書き消火器消防標識のためのプレートの水平部分を個々の大型消防標識の表示面に適合するサイズに面拡大する。
【手続補正５】
【補正対象書類名】明細書
【補正対象項目名】００１７
【補正方法】変更
【補正の内容】
【００１７】上記プレートの厚みは、消防標識装着に必要な最小規格の装着部品の先端をその空洞部や凹部にピッタリ収納できる薄型に形成される。この厚みは、消防標識が装着されたプレートと壁面との段差を小さくして目立たないように密着固定し、且つ装着部品の先端で壁面素材を傷つけないために有効となる。
【手続補正６】
【補正対象書類名】明細書
【補正対象項目名】００１８
【補正方法】変更
【補正の内容】
【００１８】消防標識掲出面と形状が一致する消火器消防標識は、装着穴を介して消防標識掲出面に機械的に装着され、プレート自体が、脚部の貫通孔を介して壁穴に機械的に固定される。その壁穴は、引っ掛け金具に掛け下げた消火器底部が床面から離れ、消火器頂部を消防法施行規則に規定された床面から１．５ｍ以下に納めることができる位置に穿孔される。プレートが壁面に固定されたら、引っ掛け金具に消火器背面の吊り環を掛け下げる。プレートを壁面に固定するための壁穴は、壁の材質に応じた後施工インサートと呼ばれる補助具を予め挿入すれば再利用可能となるので、消防標識交換の際に新たな壁穴を作製する必要がなくなる。
【手続補正７】
【補正対象書類名】明細書
【補正対象項目名】００１９
【補正方法】変更
【補正の内容】
【００１９】前述の構成によって、消火器消防標識が壁面直付けでなくプレート表面に機械的に装着されているので、凹凸壁やザラザラ壁へ標識を表示でき、標識の主要な固定法である両面テープの劣化による壁面からの脱落が発生せず、交換で古い標識を剥ぎ取る際に両面テープで脆弱な壁面素材が損傷するのを防ぎ、木ネジ固定法に見られる捻じ込み位置の移動による壁面損傷部位の拡大や接着剤固定法に認められる深刻な壁面損傷を防止し、悪戯による標識の破壊・盗難防止に有効となる。また、単一のプレートに消防標識と消火器が表示・設置されているので、消防標識表示機能と消火器設置機能を一体化し、消防法施行規則の消火器具の設置基準や標識の表示基準を常に満足する。加えて、プレート自体が消火器底部が床から離れる高さに機械的に固定されるので、周辺床スペースの使用上の都合で勝手に消火器を移動される心配がなくなり、清掃時の消火器移動も不要となり、消火器本体容器の湿気による腐食を抑制する。更に、プレート全体が消防標識と消火器の背後に隠れ、薄型化されているので、建築物や室内環境との違和感を生じさせない。
【手続補正８】
【補正対象書類名】明細書
【補正対象項目名】００２０
【補正方法】変更
【補正の内容】
【００２０】  上記の様に構成された消火器懸架フック付きの壁面用消防標識掲出プレートによれば、次のような多岐にわたる顕著な効果が得られる。
（１）消防標識がプレート表面に機械的に装着されているので、凹凸壁やザラザラ壁へ標識を表示でき、消防標識の主要な固定法である両面テープの劣化による壁面からの脱落が発生せず、交換で古い消防標識を剥ぎ取る際に両面テープで脆弱な壁面素材が損傷するのを防ぎ、木ネジ固定法に見られる捻じ込み位置の移動による壁面損傷部位の拡大や接着剤固定法に認められる深刻な壁面損傷を防止し、悪戯による標識の破壊や盗難防止に効果的となる。
（２）単一のプレートに消防標識と消火器が表示・設置されているので、消防標識表示機能と消火器設置機能を一体化し、消防法施行規則の消火器具の設置基準や標識の表示基準を常に満足する。
（３）プレート自体が、消火器底部が床から離れる高さの壁穴に機械的に固定されるので、周辺床スペースの使用上の都合で勝手に消火器を移動される心配がなくなり、清掃時の消火器移動も不要となり、消火器本体容器の湿気による腐食を抑制する。
（４）プレート全体が、消防標識と消火器の背後に隠れ、薄型化されているので、建築物や室内環境との違和感を生じさせない。
【手続補正９】
【補正対象書類名】明細書
【補正対象項目名】００６２
【補正方法】変更
【補正の内容】
【００６２】なお、大型消防標識の場合は、消火器と横書きされた文字の下に消火器の使用方法を記載したタイプ、消火器のイメージ図の下に消火器と横書きしたタイプ、消火器のイメージ図の横に消火器と横書きしたタイプなど様々な種類があるが、横書き消火器消防標識を基本にして表示面を拡大し、消火器使用法、イメージ図などを加えたデザインと見なすことができる。したがって、大型消防標識を装着するためのプレートの構成は、第二実施形態における消防標識掲出面２７を消防標識の外形に適合するように拡大し、それ以外の構成は第二実施形態と同一とする。また、消防標識の装着方法、壁面への設置方法、消火器の設置方法は、第二実施形態と同一である。また、第二実施形態における消防標識掲出面２７を拡大して大型消火器消防標識を表示できるようにした構成から裏面を除去した断面が凹型の構成でも、同様の目的を達することができる。